(57)【要約】【課題】この発明は、複数枚の静止画像を縮小して一覧表示させることができるとともに、一覧表示された縮小画像のうちからユーザによって選択された画像を、通常の表示サイズで１枚表示させることができる液晶プロジェクタを提供することを目的とする。【解決手段】静止画像データが格納されているメモリから、静止画像データを取得して表示する液晶プロジェクタにおいて、メモリに格納されている複数枚の静止画像データを取得し、縮小して一覧表示させる手段、および一覧表示された縮小画像のうちからユーザによって選択された画像を、通常の表示サイズで１枚表示させる手段を備えている。【選択図】  図１
2004239992.tif 000002
【特許請求の範囲】
【請求項１】
静止画像データが格納されているメモリから、静止画像データを取得して表示する液晶プロジェクタにおいて、
メモリに格納されている複数枚の静止画像データを取得し、縮小して一覧表示させる手段を備えていることを特徴とする液晶プロジェクタ。
【請求項２】
静止画像データが格納されているメモリから、静止画像データを取得して表示する液晶プロジェクタにおいて、
メモリに格納されている複数枚の静止画像データを取得し、縮小して一覧表示させる手段、および
一覧表示された縮小画像のうちからユーザによって選択された画像を、通常の表示サイズで１枚表示させる手段、
を備えていることを特徴とする液晶プロジェクタ。
【発明の詳細な説明】
【０００１】
【発明の属する技術分野】
この発明は、液晶プロジェクタに関する。
【０００２】
【従来の技術】
液晶プロジェクタとＰＣ（パーソナルコンピュータ）とを接続して、ＰＣ内に保持されている画像ファイルを液晶プロジェクタによってスクリーン上に投影させることができる。また、デジタルカメラで撮影した静止画像データをメモリカードに記憶させておき、メモリカードから液晶プロジェクタに画像データを転送することにより、液晶プロジェクタによってスクリーン上に投影させることもできる。
【０００３】
従来の液晶プロジェクタは、信号入力端子から入力される画像を、ただ単に表示する機能しか備えていない。このため、画像の表示領域や、表示画像の大きさを制御するといったことはできなかった。また、一度に、一枚の画像しか表示することができなかった。そのため、例えば、メモリカード内に保存された複数枚の画像を縮小して一覧表示して見るといったことはできなかった。
【０００４】
【発明が解決しようとする課題】
この発明は、複数枚の静止画像を縮小して一覧表示させることができる液晶プロジェクタを提供することを目的とする。
【０００５】
また、この発明は、複数枚の静止画像を縮小して一覧表示させることができるとともに、一覧表示された縮小画像のうちからユーザによって選択された画像を、通常の表示サイズで１枚表示させることができる液晶プロジェクタを提供することを目的とする。
【０００６】
【課題を解決するための手段】
請求項１に記載の発明は、静止画像データが格納されているメモリから、静止画像データを取得して表示する液晶プロジェクタにおいて、メモリに格納されている複数枚の静止画像データを取得し、縮小して一覧表示させる手段を備えていることを特徴とする。
【０００７】
請求項２に記載の発明は、請求項１に記載の液晶プロジェクタにおいて、静止画像データが格納されているメモリから、静止画像データを取得して表示する液晶プロジェクタにおいて、メモリに格納されている複数枚の静止画像データを取得し、縮小して一覧表示させる手段、および一覧表示された縮小画像のうちからユーザによって選択された画像を、通常の表示サイズで１枚表示させる手段を備えていることを特徴とする。
【０００８】
【発明の実施の形態】
以下、図面を参照して、この発明の実施の形態について説明する。
【０００９】
〔１〕液晶プロジェクタの構成の説明
図１は、液晶プロジェクタの構成を示している。
【００１０】
この液晶プメロジェクタ１は、従来の液晶プロジェクタと同様の構成を備えた液晶プロジェクタ本体１０と、静止画表示処理部２０とを備えている。静止画表示処理部２０は、例えば、オプションボードとして、液晶プロジェクタ本体１０に装着されている。
【００１１】
静止画表示処理部２０は、データ処理部２１、一時記憶部２２、アスペクト比判定部２３および画像サイズ判定部２４、一覧表示画像記憶部２５を備えている。
【００１２】
静止画表示処理部２０は、デジタルカメラ３０のメモリカード３１等のメモリに格納されている複数枚の静止画像を縮小して一覧表示させるとともに、一覧表示された縮小画像のうちからユーザによって選択された画像を、通常の表示サイズで１枚表示させる機能を備えている。
【００１３】
ここでは、デジタルカメラ３０を液晶プロジェクタ１に接続し、デジタルカメラ３０によって撮影された複数枚の静止画像を縮小して一覧表示させるとともに、一覧表示された縮小画像のうちからユーザによって選択された画像を、通常の表示サイズで１枚表示させる場合を例にとって説明する。
【００１４】
デジタルカメラ３０内のメモリカード３１には、デジタルカメラ３０で撮影した静止画像データが格納されている。静止画像データは、この例では、ＪＰＥＧ形式の画像データであるものとする。デジタルカメラ３０は、専用ケーブルによって、静止画表示処理部２０のデータ処理部２１に接続されている。
【００１５】
〔２〕静止画表示処理部２０の処理の説明
【００１６】
図２は、液晶プロジェクタ１に設けられた静止画表示処理部２０の処理手順を示している。
【００１７】
データ処理部２１は、液晶プロジェクタ本体１０から表示可能な最大画像サイズ（プロジェクタ対応の最大画像サイズ）を取得する（ステップ１）。液晶プロジェクタ本体１０から表示可能な最大画像の幅をＨｐとし、高さをＶｐとする。
【００１８】
データ処理部２１は、一覧表示する際の縮小画像（サムネイル画像）の枚数を決定する（ステップ２）。例えば、ユーザによって液晶プロジェクタ本体１０に予め設定されている、一覧表示する際のサムネイル画像の枚数を、液晶プロジェクタ本体１０から取得する。１画面内に、横に並べられるサムネイル画像の枚数をＨｄ、縦に並べられるサムネイル画像の枚数をＶｄとする。１画面に表示されるサムネイル画像の枚数は、Ｈｄ×Ｖｄとなる。この例では、Ｈｄ＝Ｖｄ＝３であり、１画面に９（＝３×３）枚のサムネイル画像が表示されるものとする。
【００１９】
データ処理部２１は、サムネイル画像の画像サイズを決定する（ステップ３）。つまり、サムネイル画像の幅Ｈｓ（＝Ｈｐ／Ｈｄ）と、高さＶｓ（＝Ｖｐ／Ｖｄ）とを算出する。
【００２０】
データ処理部２１は、メモリカード３１から読み込むファイルの読み込み順序を決定する（ステップ４）。例えば、ファイル名の昇順、記録日時の古い順等、ユーザによって液晶プロジェクタ本体１０に予め設定されている読み込み順序を液晶プロジェクタ本体１０から取得する。
【００２１】
データ処理部２１は、一覧表示において、スクロール（上下方向のスクロールル）による表示切替え方法を決定する（ステップ５）。この例では、スクロール方向は上方向または下方向であるものとする。例えば、一行単位で画像を切り換えるか、１ページ単位で画像を切り換えるか等、ユーザによって液晶プロジェクタ本体１０に予め設定されている表示切替え方法を液晶プロジェクタ本体１０から取得する。
【００２２】
データ処理部２１は、読み込むべきファイルの順番を示す変数ｘを初期化（ｘ＝１）する（ステップ６）。
【００２３】
データ処理部２１は、内部処理用の変数ｉ，ｊを初期化（ｉ＝ｊ＝０）する（ステップ７）。
【００２４】
データ処理部２１は、ｘがメモリカード３１内の画像枚数ｙ以下であるか否かを判定する（ステップ８）。ｘ≦ｙであれば、ステップ１０に移行し、ｘ＞ｙであれば、ｘを初期化（ｘ＝１）した後（ステップ９）、ステップ１０に移行する。ステップ９でｘを初期化しているのは、例えば、メモリカード３１内の画像枚数ｙが２０であり、１画面に縦横３枚ずつの９枚の画像を表示させる場合に、２０番目の画像の次に１番目の画像を表示させるためである。
【００２５】
ステップ１０では、データ処理部２１は、メモリカード３１からｘ番目のファイルを読み込む。データ処理部２１は、読み込んだ画像に対して後述するアスペクト比および画像サイズ変換処理を行って、幅がＨｓで高さがＶｓのサイズのサムネイル画像を作成する（ステップ１１）。サムネイル画像の作成方法については、後述する。
【００２６】
データ処理部２１は、作成したサムネイル画像に番号ｘを関連づける（ステップ１２）。具体的には、作成したサムネイル画像のファイル名（元の画像のファイル名と同じ）に、番号ｘを関連づけて、一時記憶部２２に記憶させる。この後、データ処理部２１は、変数ｘを１だけインクリメントする（ステップ１３）。
【００２７】
また、データ処理部２１は、作成したサムネイル画像を一覧表示画像記憶部２５の所定領域に埋め込む（ステップ１４）。埋め込み位置は、図３に示すように、１画面に９枚のサムネイル画像が表示されるとすると、横に（ｉ＋１）番目、縦に（ｊ＋１）番目の位置となる。図３に示すように、１画面の左上を原点とし、横方向にｉ、縦方向にｊをとった座標系では、（ｉ×Ｈｓ，ｊ×Ｖｓ）を画像の左上とする位置である。サムネイル画像の埋め込みは、水平方向にＨｄ枚埋め込む処理をＶｄ段分行うことになる。
【００２８】
データ処理部２１は、一覧表示画像記憶部２５に埋め込まれたサムネイル画像に番号ｘを重ねて埋め込む（ステップ１５）。そして、変数ｉを１だけインクリメントする（ステップ１６）。
【００２９】
データ処理部２１は、それまでの処理によって一覧表示画像記憶部２５に埋め込まれたサムネイル画像を液晶プロジェクタ本体１０に出力する（ステップ１７）。これにより、それまでの処理によって一覧表示画像記憶部２５に埋め込まれたサムネイル画像が一覧表示される。
【００３０】
データ処理部２１は、変数ｉと１画面内に横に並べられるサムネイル画像の枚数Ｈｄとが一致するか否かを判定する（ステップ１８）。ｉとＨｄとが一致しない場合には、ステップ２０に移行する。ｉとＨｄとが一致した場合には、ｉを初期化（ｉ＝０）するとともに、変数ｊを１だけインクリメントした後に（ステップ１９）、ステップ２０に移行する。
【００３１】
ステップ２０では、変数ｊと１画面内に縦に並べられるサムネイル画像の枚数Ｖｄとが一致するか否かを判定する。ｊとＶｄとが一致しない場合には、ステップ８に戻り、上記と同様な処理が繰り返し行われる。
【００３２】
このようにして、１画面に表示される枚数分（Ｈｄ×Ｖｄ）のサムネイル画像が作成されて表示されるようなる。この場合には、ステップ２０でｊとＶｄとが一致すると判定される。
【００３３】
ユーザは１枚表示させたい画像が、一覧表示されているサムネイル画像の中に存在する場合には、リモコン（図示略）のテンキーによって、表示されているサムネイル画像の番号ｘを入力する。入力されたサムネイル画像の番号ｘは、液晶プロジェクタ本体１０からデータ処理部２１に送られてくる。
【００３４】
一方、ユーザは、１枚表示させたい画像が、一覧表示されたサムネイル画像内に存在しない場合には、リモコンのスクロールキー（上方向スクロールキーまたは下方向スクロールキー）を押す。スクロールキーが押された場合には、スクロール方向を含むスクロール指令が、液晶プロジェクタ本体１０からデータ処理部２１に送られてくる。
【００３５】
データ処理部２１は、上記ステップ２０において、ｊとＶｄとが一致すると判定した場合には、液晶プロジェクタ本体１０からのスクロール指令を受信したか否か（ステップ２１）、液晶プロジェクタ本体１０からのサムネイル画像の番号ｘを受信したか否か（ステップ２２）を判別する。
【００３６】
液晶プロジェクタ本体１０からのスクロール指令を受信した場合には、データ処理部２１は、一時記憶部２２および一覧表示画像記憶部２５をクリアする（ステップ２３）、そして、スクロール方向および上記ステップ５で決定した表示切替え方法に基づいて、ｘの値を設定した後（ステップ２４）、ステップ７に戻る。例えば、ｘ＝１〜ｘ＝９のサムネイル画像が表示されているとし、スクロール方向が下方向で、表示切替え方法が１行単位であれば、ｘに４を設定する。例えば、ｘ＝１〜ｘ＝９のサムネイル画像が表示されているとし、スクロール方向が下方向で、表示切替え方法が１頁単位であれば、ｘ＝１０とする。
【００３７】
上記ステップ２２において、液晶プロジェクタ本体１０からのサムネイル画像の番号ｘを受信した場合には、データ処理部２１は、一時記憶部２２から番号ｘに対応するファイル番号を取得する（ステップ２５）。そして、データ処理部２１は、取得したファイル番号に対応する画像を、メモリカード３１から読み込み、後述するアスペクト比および画像サイズ変換処理を行って、読み込んだ画像のサイズを液晶プロジェクタ本体１０で表示できる最大画像サイズに応じたサイズに変換した後、液晶プロジェクタ本体１０に出力する（ステップ２６）。これにより、ユーザによって選択された画像が、１枚表示されるようになる。
【００３８】
〔３〕アスペクト比および画像サイズ変換処理の説明
【００３９】
上記ステップ１１、２６で行われるアスペクト比および画像サイズ変換処理について説明する。アスペクト比および画像サイズ変換処理は、メモリカード３１から読み込んだ画像を、所定のアスペクト比でかつ所定の画像サイズを有する画像に変換するための処理である。
【００４０】
ステップ１１のサムネイル画像の作成処理において実行されるアスペクト比および画像サイズ変換処理では、メモリカード３１から読み込んだ画像を、アスペクト比がＨｓ／Ｖｓで画像サイズがＨｓ×Ｖｓの画像に変換する。
【００４１】
ステップ２６で行われるアスペクト比および画像サイズ変換処理では、メモリカード３１から読み込んだ画像を、液晶プロジェクタ本体１０が表示できる画像のアスペクト比と、最大画像サイズを有する画像に変換する。
【００４２】
ステップ１１で行われるアスペクト比および画像サイズ変換処理と、ステップ２６で行われるアスペクト比および画像サイズ変換処理とでは、目標とするアスペクト比と画像サイズが異なるだけなので、ここでは、ステップ２６で行われるアスペクト比および画像サイズ変換処理についてのみ説明することにする。
【００４３】
図４は、図２のステップ２６で行われるアスペクト比および画像サイズ変換処理手順を示している。
【００４４】
データ処理部２１は、デジタルカメラ３０内のメモリカード３１から、表示したいＪＰＥＧ形式の静止画像データを取得して、ＪＰＥＧデコードする（ステップ１０１）。デコードされた静止画像を表示対象画像ということにする。
【００４５】
データ処理部２１は、取得したＪＰＥＧ形式の静止画像データのＪＰＥＧヘッダから画像の縦横サイズを取得し、表示対象画像のアスペクト比と画像サイズを取得する（ステップ１０２）。
【００４６】
また、データ処理部２１は、液晶プロジェクタ本体１０から、液晶プロジェクタ本体１０が表示できる画像のアスペクト比（プロジェクタ対応のアスペクト比）と、最大画像サイズ（プロジェクタ対応の最大画像サイズ）とを取得する（ステップ１０３）。
【００４７】
データ処理部２１は、上記ステップ１０２で取得した表示対象画像のアスペクト比とステップ１０２で取得したプロジェクタ対応のアスペクト比とを、アスペクト比判定部２３に送る（ステップ１０４）。アスペクト比判定部２３は、表示対象画像のアスペクト比とプロジェクタ対応のアスペクト比とが一致するか否かを判定し、その判定結果をデータ処理部２１に通知する（ステップ１０５）。
【００４８】
アスペクト比判定部２３によってアスペクト比が一致すると判定された場合には（ステップ１０６でＹＥＳ）、データ処理部２１は、上記ステップ１０２で取得した表示対象画像の画像サイズと、上記ステップ１０３で取得したプロジェクタ対応の最大画像サイズとを画像サイズ判定部２４に送る（ステップ１０７）。
【００４９】
アスペクト比判定部２３によってアスペクト比が一致しないと判定された場合には（ステップ１０６でＮＯ）、データ処理部２１は、プロジェクタ対応のアスペクト比と一致するように、表示対象画像のアスペクト比を調整するための処理（アスペクト比変換処理）を行う（ステップ１０８）。この後、アスペクト比変換処理後の表示対象画像の画像サイズと、上記ステップ１０３で取得したプロジェクタ対応の最大画像サイズとを画像サイズ判定部２４に送る（ステップ１０９）。
【００５０】
画像サイズ判定部２４は、上記ステップ１０８または１０９において、データ処理部２１から送られてきた表示対象画像の画像サイズが、プロジェクタ対応の最大画像サイズ以下であるか否かを判定し、その判定結果をデータ処理部２１に通知する（ステップ１１０）。
【００５１】
具体的には、表示対象画像の画像サイズの縦サイズがプロジェクタ対応の最大画像サイズの縦サイズ以下でありかつ表示対象画像の画像サイズの横サイズがプロジェクタ対応の最大画像サイズの横サイズ以下の場合には、表示対象画像の画像サイズがプロジェクタ対応の最大画像サイズ以下であると判別する。表示対象画像の画像サイズの縦サイズがプロジェクタ対応の最大画像サイズの縦サイズより大きい場合または表示対象画像の画像サイズの横サイズがプロジェクタ対応の最大画像サイズの横サイズより大きい場合には、表示対象画像の画像サイズがプロジェクタ対応の最大画像サイズより大きいと判別する。
【００５２】
画像サイズ判定部２４によって、表示対象画像の画像サイズがプロジェクタ対応の最大画像サイズ以下であると判別された場合には（ステップ１１１でＹＥＳ）、データ処理部２１は、表示対象画像を液晶プロジェクタ本体１０に送る（ステップ１１３）。
【００５３】
ステップ１１１からステップ１１３に移行した場合に、液晶プロジェクタ本体１０に送られる表示対象画像データは、次の通りである。つまり、上記ステップ１０８によってアスペクト比変換処理が行われている場合には、上記ステップ１０１でデコードされかつアスペクト比変換処理が行われた後の画像データが液晶プロジェクタ本体１０に送られ、上記ステップ１０８によってアスペクト比変換処理が行われていない場合には、上記ステップ１０１でデコードされた画像データが液晶プロジェクタ本体１０に送られる。
【００５４】
画像サイズ判定部２４によって、表示対象画像の画像サイズがプロジェクタ対応の最大画像サイズより大きいと判別された場合には（ステップ１１１でＹＥＳ）、データ処理部２１は、液晶プロジェクタ本体１０によって表示対象画像を表示できるように表示対象画像の画像サイズを調整するための処理（画像サイズ変換処理）を行った後（ステップ１１２）、表示対象画像を液晶プロジェクタ本体１０に送る（ステップ１１３）。
【００５５】
ステップ１１２からステップ１１３に移行した場合に、液晶プロジェクタ本体１０に送られる表示対象画像データは、次の通りである。つまり、上記ステップ１０８によってアスペクト比変換処理が行われている場合には、上記ステップ１０１でデコードされかつアスペクト比変換処理および画像サイズ変換処理が行われた後の画像データが液晶プロジェクタ本体１０に送られ、上記ステップ１０８によってアスペクト比変換処理が行われていない場合には、上記ステップ１０１でデコードされかつ画像サイズ変換処理が行われた後の画像データが液晶プロジェクタ本体１０に送られる。
【００５６】
図５は、図４のステップ１０８のアスペクト比変換処理の詳細な手順を示している。
【００５７】
まず、図６に示すように、上記ステップ１０１でデコードされた表示対象画像の縦サイズをＶ１、横サイズをＨ１、アスペクト比をＶ１：Ｈ１とし、プロジェクタ対応の最大画像サイズの縦サイズをＶ２、横サイズをＨ２、アスペクト比をＶ２：Ｈ２とする（ステップ１２１）。
【００５８】
次に、Ａ１＝Ｖ１／Ｈ１、Ａ２＝Ｖ２／Ｈ２を算出する（ステップ１２２）。そして、Ａ１＜Ａ２であるか否かを判別する（ステップ１２３）。
【００５９】
Ａ１＜Ａ２であると判定した場合には（ステップ１２３でＹＥＳ）、つまり、Ｈ１に係数ａを乗算し、Ｈ２に係数ｂを乗算することによってＨ１およびＨ２の値がそれらの最小公倍数Ｘになると仮定すると、ａ・Ｖ１＜ｂ・Ｖ２となる場合には、Ｘ＝ａ・Ｈ１＝ｂ・Ｈ２となるようなａ、ｂを算出する（ステップ１２４）。つまり、ＸをＨ１およびＨ２の最小公倍数として、Ｘ＝ａ・Ｈ１＝ｂ・Ｈ２となるようなａ、ｂを算出する。
【００６０】
次に、ｂＶ２＝ａＶ１＋ＹとなるようなＹの値を算出する（ステップ１２５）。次に、Ｚ＝Ｙ・（１／ａ）・（１／２）となるようなＺを算出する（ステップ１２６）。
【００６１】
そして、図７に示すように、元の表示対象画像の上側および下側に、幅全体にわたって、高さＺだけ所定色、例えば黒を表す画像データを追加して、新たな表示対象画像を生成することにより、元の表示対象画像をアスペクト比がＶ２：Ｈ２の新たな表示対象画像に変換する（ステップ１２７）。そして、今回のアスペクト比変換処理を終了する。
【００６２】
上記ステップ１２３において、Ａ１＞Ａ２であると判定した場合には（ステップ１２３でＮＯ）、つまり、Ｖ１に係数ｃを乗算し、Ｖ２に係数ｄを乗算することによってＶ１およびＶ２の値がそれらの最小公倍数Ｘになると仮定すると、ｃ・Ｈ１＜ｄ・Ｈ２となる場合には、Ｘ＝ｃ・Ｖ１＝ｄ・Ｖ２となるようなｃ、ｄを算出する（ステップ１２８）。つまり、ＸをＶ１およびＶ２の最小公倍数として、Ｘ＝ｃ・Ｖ１＝ｃ・Ｖ２となるようなｃ、ｄを算出する。
【００６３】
次に、ｄＨ２＝ｃＨ１＋ＹとなるようなＹの値を算出する（ステップ１２９）。次に、Ｚ＝Ｙ・（１／ｃ）・（１／２）となるようなＺを算出する（ステップ１３０）。
【００６４】
そして、図８に示すように、元の表示対象画像の左側および右側に、高さ全体にわたって、幅Ｚだけ所定色、例えば黒を表す画像データを追加して、新たな表示対象画像を生成することにより、元の表示対象画像をアスペクト比がＶ２：Ｈ２の新たな表示対象画像に変換する（ステップ１３１）。そして、今回のアスペクト比変換処理を終了する。
【００６５】
図９は、図４のステップ１１２の画像サイズ変換処理の詳細な手順を示している。
【００６６】
図１０に示すように、表示対象画像の縦サイズをＶ１、横サイズをＨ１とし、プロジェクタ対応の最大画像サイズの縦サイズをＶ２、横サイズをＨ２とする。
【００６７】
まず、ＸをＨ１およびＨ２の最小公倍数として、Ｘ＝ａ・Ｈ１＝ｂ・Ｈ２となるようなａ、ｂを算出する（ステップ１４１）。
【００６８】
表示対象画像を水平方向にａ倍に拡大する（ステップ１４２）。つまり、水平方向に同じ画素をａ個ずつ並べる。
【００６９】
次に、ステップ１４２で得られた画像を、水平方向に１／ｂ倍に縮小する（ステップ１４３）。つまり、水平方向に並んだｂ個分の画素列を、それらの平均値の画素値を持つ１つの画素に置き換える。
【００７０】
Ｈ１＝７０４であり、Ｈ２＝３２０である場合を例にとって説明する。Ｈ１とＨ２の最小公倍数Ｘは３５２０となり、ａ＝５、ｂ＝１１となる。まず、図１１（ａ）に示すように、表示対象画像を水平方向に５倍する。この後、図１１（ｂ）に示すように、得られた画像を水平方向に１／１１倍する。
【００７１】
水平方向と同様に、垂直方向についても同様な処理を行う。つまり、まず、ＹをＶ１およびＶ２の最小公倍数として、Ｙ＝ｃ・Ｖ１＝ｄ・Ｖ２となるようなｃ、ｄを算出する（ステップ１４４）。
【００７２】
水平方向の縮小処理後の表示対象画像を垂直方向にｃ倍に拡大する（ステップ１４５）。そして、得られた画像を、垂直方向に１／ｄ倍に縮小する（ステップ１４６）。これにより、表示対象画像の画像サイズが、プロジェクタ対応の最大画像サイズと同じサイズに変換される。
【００７３】
上記実施の形態では、デジタルカメラ３０と液晶プロジェクタ１とを接続しているが、液晶プロジェクタ１にメモリカード３１を装着するためのカードコネクタを設けておき、カードコネクタに装着されたメモリカード３１から画像を取得するようにしてもよい。
【００７４】
【発明の効果】
この発明によれば、液晶プロジェクタにおいて、複数枚の静止画像を縮小して一覧表示させることができるようになる。
【００７５】
また、この発明によれば、液晶プロジェクタにおいて、複数枚の静止画像を縮小して一覧表示させることができるとともに、一覧表示された縮小画像のうちからユーザによって選択された画像を、通常の表示サイズで１枚表示させることができるようになる。
【図面の簡単な説明】
【図１】液晶プロジェクタの構成を示すブロック図である。
【図２】静止画表示処理部２０の処理手順を示すフローチャートである。
【図３】９枚のサムネイル画像が１画面に表示される場合の例を示す模式図である。
【図４】アスペクト比および画像サイズ変換処理手順を示すフローチャートである。
【図５】図４のステップ１０８のアスペクト比変換処理の詳細な手順を示すフローチャートである。
【図６】図４の上記ステップ１０１でデコードされた表示対象画像のサイズと、プロジェクタ対応の最大画像サイズを示す模式図である。
【図７】元の表示対象画像の上側および下側に、幅全体にわたって、高さＺだけ黒を表す画像データを追加することを示す模式図である。
【図８】元の表示対象画像の左側および右側に、高さ全体にわたって、幅Ｚだけ黒を表す画像データを追加することを示す模式図である。
【図９】図４のステップ１１２の画像サイズ変換処理の詳細な手順を示すフローチャートである。
【図１０】表示対象画像のサイズと、プロジェクタ対応の最大画像サイズを示す模式図である。
【図１１】水平方向のサイズを、７０４画素から３２０画素に変換する場合を示す模式図である。
【符号の説明】
１  液晶プロジェクタ
１０  液晶プロジェクタ本体
２０  静止画表示処理部
２１  データ処理部
２２  一時記憶部
２３  アスペクト比判定部
２４  画像サイズ判定部
２５  一覧表示画像記憶部
３０  デジタルカメラ
３１  メモリカード
【図１】
2004239992.tif 000003
【図２】
2004239992.tif 000004
【図３】
2004239992.tif 000005
【図４】
2004239992.tif 000006
【図５】
2004239992.tif 000007
【図６】
2004239992.tif 000008
【図７】
2004239992.tif 000009
【図８】
2004239992.tif 000010
【図９】
2004239992.tif 000011
【図１０】
2004239992.tif 000012
【図１１】
2004239992.tif 000013